(57)【要約】  デバイス（Ｄ１）が、トランスポート・ネットワーク（ＴＮ）によって送信されることになるデジタル・データ・フレームを処理するように意図されており、また、ｉ）デジタル・データ・フレームを受信するためのポートを含む第１の処理手段（ＰＭ１）であって、縮小されたデジタル・データ・フレームを生成するために、これらの受信されたデジタル・データ・フレームのうちのそれぞれのデジタル・データ・フレームをダウンサイズし、そして必要な場合には圧縮し、次いでコンパクト化するように構成されている第１の処理手段（ＰＭ１）と、ｉｉ）フレーム・グループを生成するために、これらの縮小されたデジタル・データ・フレームのうちの少なくともいくつかを、アグリゲーション情報に従ってともに集約するように構成されている第２の処理手段（ＰＭ２）と、ｉｉｉ）トランスポート・ネットワーク（ＴＮ）によって送信されることになるトランスポート・フレームを生成するために、これらのフレーム・グループを、グループ化情報に従って、デジタル・データ・フレームの最初の配置を定義しているグループ記述子を伴ってともにグループ化するように構成されている第３の処理手段（ＰＭ３）とを含む。
2015528240.tif 000002
【特許請求の範囲】
【請求項１】
トランスポート・ネットワーク（ＴＮ）によって送信されることになるデジタル・データ・フレームを処理するための方法であって、縮小されたデジタル・データ・フレームを生成するために、デジタル・データ・フレームが、ダウンサイズされ、そして必要な場合には圧縮され、次いでコンパクト化されるステップ（ｉ）と、フレーム・グループを生成するために、前記縮小されたデジタル・データ・フレームのうちの少なくともいくつかが、アグリゲーション情報に従ってともに集約されるステップ（ｉｉ）と、前記トランスポート・ネットワーク（ＴＮ）によって送信されることになるトランスポート・フレームを生成するために、前記フレーム・グループどうしが、グループ化情報に従って、前記デジタル・データ・フレームの最初の配置を定義しているグループ記述子を伴ってともにグループ化されるステップ（ｉｉｉ）とを含む方法。
【請求項２】
前記ダウンサイズするステップが、それぞれのデジタル・データ・フレームのライン・コーディング・オーバーヘッドを低減する一方で送信のエラーを保持するステップを含む、請求項１に記載の方法。
【請求項３】
前記任意選択の圧縮が、スケーリング係数によってサンプルのブロックをスケーリングするステップと、サンプルの前記スケーリングされたブロックを量子化して、圧縮されたサンプルを生成するステップとを含む、請求項１乃至２のいずれか１項に記載の方法。
【請求項４】
前記コンパクト化するステップが、使用されていないデータ・バイトから前記デジタル・データ・フレームのうちのそれぞれのデジタル・データ・フレームをクリアするステップを含む、請求項１乃至３のいずれか１項に記載の方法。
【請求項５】
ステップ（ｉ）において、前記デジタル・データ・フレームが８Ｂ／１０Ｂライン・コーディングに従って符号化されているケースにおいては、前記デジタル・データ・フレームのうちのそれぞれのデジタル・データ・フレームを、８つのデータ・ビットと、２つのコントロール・ビットとの対へと変形する、請求項１乃至４のいずれか１項に記載の方法。
【請求項６】
ステップ（ｉｉ）において、前記フレーム・グループへと収容されるデータ・コンテナに、それらを前記トランスポート・フレームへと集約する前に、６４Ｂ／６５Ｂ符号化を適用する、請求項１乃至５のいずれか１項に記載の方法。
【請求項７】
前記デジタル・データ・フレームが、コモン・パブリック・ラジオ・インターフェース・データ・フレームである、請求項１乃至６のいずれか１項に記載の方法。
【請求項８】
前記トランスポート・フレームが、光トランスポート・ネットワークによるトランスポート用に構成されている光データ・ユニットである、請求項１乃至７のいずれか１項に記載の方法。
【請求項９】
トランスポート・ネットワーク（ＴＮ）によって送信されたトランスポート・フレームを処理するための方法であって、請求項１乃至８のいずれか１項に記載の方法によって生成されたトランスポート・フレームを受信した後に、そのトランスポート・フレームが含むフレーム・グループをグループ化解除するステップ（ａ）と、前記フレーム・グループが含む縮小されたデジタル・データ・フレームを得るために、前記フレーム・グループのうちのそれぞれをデ集約するステップ（ｂ）と、デジタル・データ・フレームを得るために、前記トランスポート・フレームのグループ記述子へと収容された情報に従って、前記縮小されたデジタル・データ・フレームのうちのそれぞれのデジタル・データ・フレームをコンパクト化解除し、そして圧縮されている場合には圧縮解除し、次いでアップサイズするステップ（ｃ）とを含む方法。
【請求項１０】
ステップ（ｂ）において、前記グループ化解除されたフレーム・グループが、６４Ｂ／６５Ｂ符号化を用いて符号化されたデータ・コンテナを含んでいるケースにおいては、前記データ・コンテナに６４Ｂ／６５Ｂ復号を適用する、請求項９に記載の方法。
【請求項１１】
ステップ（ｃ）において、前記デジタル・データ・フレームが８＋２Ｂデジタル・データ・フレームであるケースにおいては、それらのデジタル・データ・フレームを圧縮解除した後に、それらのデジタル・データ・フレームを８Ｂ／１０Ｂデジタル・データ・フレームへと変形する、請求項９乃至１０のいずれか１項に記載の方法。
【請求項１２】
前記トランスポート・フレームが、光トランスポート・ネットワークによってトランスポートされる光データ・ユニットである、請求項９乃至１１のいずれか１項に記載の方法。
【請求項１３】
前記デジタル・データ・フレームが、コモン・パブリック・ラジオ・インターフェース・データ・フレームである、請求項９乃至１２のいずれか１項に記載の方法。
【請求項１４】
トランスポート・ネットワーク（ＴＮ）によって送信されることになるデジタル・データ・フレームを処理するためのデバイス（Ｄｉ）であって、ｉ）デジタル・データ・フレームを受信するためのポートを含む第１の処理手段（ＰＭ１）であり、縮小されたデジタル・データ・フレームを生成するために、前記受信されたデジタル・データ・フレームをダウンサイズし、そして必要とされる場合には圧縮し、次いでコンパクト化するように構成されている第１の処理手段（ＰＭ１）と、ｉｉ）フレーム・グループを生成するために、前記縮小されたデジタル・データ・フレームのうちの少なくともいくつかを、アグリゲーション情報に従ってともに集約するように構成されている第２の処理手段（ＰＭ２）と、ｉｉｉ）前記トランスポート・ネットワーク（ＴＮ）によって送信されることになるトランスポート・フレームを生成するために、前記フレーム・グループどうしを、グループ化情報に従って、前記デジタル・データ・フレームの最初の配置を定義しているグループ記述子を伴ってともにグループ化するように構成されている第３の処理手段（ＰＭ３）とを含む処理デバイス（Ｄｉ）。
【請求項１５】
前記第３の処理手段（ＰＭ３）が、トランスポート・フレームを受信した後に、そのトランスポート・フレームが含む前記フレーム・グループをグループ化解除するように構成されており、前記第２の処理手段（ＰＭ２）が、前記フレーム・グループが含む縮小されたデジタル・データ・フレームを得るために、前記フレーム・グループのうちのそれぞれをデ集約するように構成されており、前記第１の処理手段（ＰＭ１）が、デジタル・データ・フレームを得るために、前記トランスポート・フレームの前記グループ記述子へと収容された情報に従って、前記縮小されたデジタル・データ・フレームのうちのそれぞれのデジタル・データ・フレームをコンパクト化解除し、そして圧縮解除し、次いでダウンサイジング解除するように構成されている、請求項１４に記載のデバイス。
【発明の詳細な説明】
【技術分野】
【０００１】
本発明は、テレコミュニケーションに関し、より正確には、トランスポート・ネットワークによって送信されることになるデジタル・データ・フレームの、およびトランスポート・ネットワークによって送信されたトランスポート・フレームの処理に関する。
【背景技術】
【０００２】
多くのテレコミュニケーション・システムは、（デジタル）トランスポート・ネットワークを介してリモート・ラジオヘッド（すなわちＲＲＨ）（ＣＰＲＩ（コモン・パブリック・ラジオ・インターフェース）用語においては、リモート機器（すなわちＲＥ）とも名付けられている）に結合されているベース・バンド・ユニット（すなわちＢＢＵ）（ＣＰＲＩ用語においては、リモート機器コントローラ（すなわちＲＥＣ）とも名付けられている）を含む。データを定義するデジタル化されたベース・バンド複素同相（Ｉ）および直角位相（Ｑ）サンプルは、このトランスポート・ネットワークを介してトランスポートされる。
【０００３】
より正確には、これらのＩＱサンプルは、たとえばＣＰＲＩタイプの、かつリモート機器コントローラおよびリモート機器によって生成されたデジタル・データ・フレームの（ＡｘＣ）コンテナへ入る。これらのデジタル・データ・フレームは、トランスポート・ネットワークがトランスポートすることができるトランスポート・フレームへと統合される前に処理される。このプロセスは通常、帯域幅要件の最適化、およびＩＱサンプリング・レートと、トランスポート・ネットワーク・レートとの間におけるレート適合の中に存在する。たとえば、トランスポート・ネットワークが光トランスポート・ネットワーク（すなわちＯＴＮ）であるケースにおいては、ＣＰＲＩデジタル・データ・フレームは、光トランスポート・ユニット（すなわちＯＴＵ）と名付けられているトランスポート・フレーム内に封入される。
【０００４】
ＯＴＮは、たとえば、パッシブ光ネットワーク（ＰＯＮ）、たとえば１０ギガビット・パッシブ光ネットワーク（１０ＧＰＯＮ）、波長分割多重パッシブ光ネットワーク（ＷＤＭ  ＰＯＮ）、１０ＧＰＯＮへのＷＤＭオーバーレイ、ＣＤＷＭ光リング、またはＤＷＤＭ光リングであることが可能である。
【０００５】
光トランスポート・ネットワークにおいては、光ファイバは、リモート・ラジオヘッドとベース・バンド・ユニットとの間におけるポイントツーポイント・リンクとして使用されることが可能である。典型的には、ベース・バンド・ユニットがＮ個のリモート・ラジオヘッドをコントロールする場合には、このベース・バンド・ユニットをこれらのリモート・ラジオヘッドに結合するＮ個の光ファイバが存在することが可能である。
【０００６】
リモート・ラジオヘッドどうしを結び付けること、および使用される物理リンクを共有することが常に可能であるとは限らないため、ますます多くの専用リンクが必要とされており、利用可能な帯域幅は、効率よく使用されていない。
【０００７】
その上、ＣＰＲＩビット・ストリームは、固定ビットレート・ストリームとして搬送され、ＣＰＲＩデジタル・データ・フレームのペイロードを搬送するのに必要とされるライン・コーディングおよび／または帯域幅を最適化する、ならびにＣＰＲＩリンクどうしのアグリゲーションおよび多重化を可能にする解決策はない。
【発明の概要】
【発明が解決しようとする課題】
【０００８】
したがって、本発明の目的は、この状況を改善すること、とりわけ、効率的かつトランスペアレントに（たとえば、小さなオーバーヘッドで、および／またはその最大容量にではなく実際のリンク使用に帯域幅要件を適合して）リンク・アグリゲーションおよび多重化を可能にすることである。
【課題を解決するための手段】
【０００９】
より正確には、本発明は、トランスポート・ネットワークによって送信されることになるデジタル・データ・フレームを処理するように意図されている第１の方法であって、
−  縮小されたデジタル・データ・フレームを生成するために、これらのデジタル・データ・フレームが、ダウンサイズされ、そして必要な場合には圧縮され、次いでコンパクト化されるステップ（ｉ）と、
−  フレーム・グループを生成するために、これらの縮小されたデジタル・データ・フレームのうちの少なくともいくつかが、アグリゲーション情報に従ってともに集約されるステップ（ｉｉ）と、
−  トランスポート・ネットワークによって送信されることになるトランスポート・フレームを生成するために、これらのフレーム・グループが、グループ化情報に従って、デジタル・データ・フレームの最初の配置を定義しているグループ記述子を伴ってともにグループ化されるステップ（ｉｉｉ）とを含む方法を提供する。
【００１０】
本発明による第１の方法は、単独でまたは組み合わせて考えられる、とりわけ下記のような、さらなる特徴を含むことができる。
−  ダウンサイズするステップは、それぞれのデジタル・データ・フレームのライン・コーディング・オーバーヘッドを低減する一方で送信のエラーを保持するステップを含むことができる。
−  任意選択の圧縮は、スケーリング係数によってサンプルのブロックをスケーリングするステップと、サンプルのこれらのスケーリングされたブロックを量子化して、圧縮されたサンプルを生成するステップとを含むことができる。
−  コンパクト化するステップは、使用されていないデータ・バイトからデジタル・データ・フレームのうちのそれぞれのデジタル・データ・フレームをクリアするステップを含むことができる。
−  ステップ（ｉ）において、デジタル・データ・フレームが８Ｂ／１０Ｂライン・コーディングに従って符号化されているケースにおいては、これらのデジタル・データ・フレームのうちのそれぞれのデジタル・データ・フレームを、８つのデータ・ビットと、２つのコントロール・ビットとの対（８＋２Ｂ）へと変形することができる。
−  ステップ（ｉｉ）において、フレーム・グループへと収容されるデータ・コンテナに、それらをトランスポート・フレームへと集約する前に、６４Ｂ／６５Ｂ符号化を適用することができる。
−  デジタル・データ・フレームは、コモン・パブリック・ラジオ・インターフェース（ＣＰＲＩ）データ・フレームであることが可能である。
−  トランスポート・フレームは、光トランスポート・ネットワーク（ＯＴＮ）によるトランスポート用に構成されている光データ・ユニットであることが可能である。
【００１１】
本発明はまた、トランスポート・ネットワークによって送信されたトランスポート・フレームを処理するように意図されている第２の方法であって、
−  上記で紹介した第１の方法によって生成されたトランスポート・フレームを受信した後に、そのトランスポート・フレームが含むフレーム・グループをグループ化解除するステップ（ａ）と、
−  これらのフレーム・グループが含む縮小されたデジタル・データ・フレームを得るために、これらのフレーム・グループのうちのそれぞれをデ集約するステップ（ｂ）と、
−  デジタル・データ・フレームを得るために、トランスポート・フレームのグループ記述子へと収容された情報に従って、これらの縮小されたデジタル・データ・フレームのうちのそれぞれのデジタル・データ・フレームをコンパクト化解除し、そして（圧縮されている場合には）圧縮解除し、次いでアップサイズするステップ（ｃ）とを含む方法を提供する。
【００１２】
本発明による第２の方法は、単独でまたは組み合わせて考えられる、とりわけ下記のような、さらなる特徴を含むことができる。
−  ステップ（ｂ）において、グループ化解除されたフレーム・グループが、６４Ｂ／６５Ｂ符号化を用いて符号化されたデータ・コンテナを含んでいるケースにおいては、これらのデータ・コンテナに６４Ｂ／６５Ｂ復号を適用することができる。
−  ステップ（ｃ）において、デジタル・データ・フレームが８＋２Ｂデジタル・データ・フレームであるケースにおいては、それらのデジタル・データ・フレームを８Ｂ／１０Ｂデジタル・データ・フレームへと変形することができる。
−  トランスポート・フレームは、光トランスポート・ネットワーク（ＯＴＮ）によってトランスポートされる光データ・ユニットであることが可能である。
−  デジタル・データ・フレームは、コモン・パブリック・ラジオ・インターフェース・データ・フレームであることが可能である。
【００１３】
本発明はまた、トランスポート・ネットワークによって送信されることになるデジタル・データ・フレームを処理するように意図されているデバイスであって、
−  デジタル・データ・フレームを受信するためのポートを含む第１の処理手段であり、縮小されたデジタル・データ・フレームを生成するために、これらの受信されたデジタル・データ・フレームのうちのそれぞれのデジタル・データ・フレームをダウンサイズし、そして（必要とされる場合には）圧縮し、次いでコンパクト化するように構成されている第１の処理手段と、
−  フレーム・グループを生成するために、これらの縮小されたデジタル・データ・フレームのうちの少なくともいくつかを、アグリゲーション情報に従ってともに集約するように構成されている第２の処理手段と、
−  トランスポート・ネットワークによって送信されることになるトランスポート・フレームを生成するために、これらのフレーム・グループを、グループ化情報に従って、デジタル・データ・フレームの最初の配置を定義しているグループ記述子を伴ってともにグループ化するように構成されている第３の処理手段とを含むデバイスを提供する。
【００１４】
この第３の処理手段は、トランスポート・フレームを受信した後に、そのトランスポート・フレームが含むフレーム・グループをグループ化解除するように構成されることが可能であり、この第２の処理手段は、これらのフレーム・グループが含む縮小されたデジタル・データ・フレームを得るために、これらのフレーム・グループのうちのそれぞれをデ集約するように構成されることが可能である。その上、第１の処理手段は、デジタル・データ・フレームを得るために、トランスポート・フレームのグループ記述子へと収容された情報に従って、縮小されたデジタル・データ・フレームのうちのそれぞれのデジタル・データ・フレームをコンパクト化解除し、そして圧縮解除し、次いでダウンサイジング解除するように構成されることが可能である。
【００１５】
本発明のその他の特徴および利点は、以降の詳しい明細および添付の図面を考察すれば、明らかになるであろう。
【図面の簡単な説明】
【００１６】
【図１】本発明による２つの処理デバイスを含むテレコミュニケーション・システムの一例を概略的にかつ機能的に示す図である。
【図２】本発明による処理デバイスの実施形態の一例を概略的にかつ機能的に示す図である。
【図３】あらゆる処理の前のＣＰＲＩデジタル・データ・フレームの第１の例を概略的に示す図である。
【図４】ダウンサイジングおよび圧縮の後の図３のＣＰＲＩデジタル・データ・フレームを概略的に示す図である。
【図５】（縮小されたＣＰＲＩデジタル・データ・フレームを形成する）コンパクト化の後の図４のＣＰＲＩデジタル・データ・フレームを概略的に示す図である。
【図６】縮小された（すなわち、処理（ダウンサイジング、圧縮、およびコンパクト化）の後の）ＣＰＲＩデジタル・データ・フレームの第２の例を概略的に示す図である。
【図７】縮小されたＣＰＲＩデジタル・データ・フレームの第３の例を概略的に示す図である。
【図８】図５および図６の縮小されたＣＰＲＩデジタル・データ・フレームを含むフレーム・グループの一例を概略的に示す図である。
【図９】図８のフレーム・グループおよびその他のフレーム・グループを含むトランスポート・フレームの一例を概略的に示す図である。
【図１０】８＋２Ｂフレームへの補助的な変形の後の図４のＣＰＲＩデジタル・データ・フレームを概略的に示す図である。
【図１１】８＋２Ｂ符号化済みデータ・フレームの発行された対応する６４Ｂ／６５Ｂ符号化の一例を概略的に示す図である。
【発明を実施するための形態】
【００１７】
添付の図面は、本発明を完全なものにするようにのみならず、必要な場合には、その理解に寄与するようにも機能することができる。
【００１８】
本発明は、とりわけ、トランスポート・ネットワークＴＮによって送信されることになるデジタル・データ・フレームＦｍ、およびトランスポート・ネットワークＴＮによって送信されたトランスポート・フレームＴＦを処理するように意図されている第１および第２の処理方法ならびに関連付けられている処理デバイスＤｉ（ｉ＝１または２）を提供することを目的としている。
【００１９】
以降の説明においては、トランスポート・ネットワークＴＮは、光トランスポート・ネットワーク（ＯＴＮ）であるとみなされる。たとえば、ＯＴＮは、パッシブ光ネットワーク（すなわちＰＯＮ、たとえば１０ギガビット・パッシブ光ネットワーク（１０ＧＰＯＮ））、波長分割多重パッシブ光ネットワーク（ＷＤＭ  ＰＯＮ）、１０ＧＰＯＮへのＷＤＭオーバーレイ、ＣＤＷＭ光リング、またはＤＷＤＭ光リングであることが可能である。しかし本発明は、このタイプのトランスポート・ネットワーク（ポイント・ツー・ポイント・ワイヤレス接続）には限定されない。
【００２０】
本発明を実施することができるテレコミュニケーション・システムの一例が、図１において示されている。この（テレコミュニケーション）システムは、本発明による第１のＤ１および第２のＤ２の処理デバイスが結合されているトランスポート・ネットワークＴＮ（ここでは、ＯＴＮタイプの）を含む。第１の処理デバイスＤ１は、Ｍ個のリンクＬｍを通じてＭ個のリモート・ラジオヘッド（すなわちＲＲＨ）ＲＥｍ（ｍ＝１〜Ｍ）に結合されている。たとえば、示されているように、これらのリモート・ラジオヘッドＲＥｍのうちの少なくとも１つ（ここではＲＥ１）は、別のリモート・ラジオヘッドＲＥ’に結合されることが可能である。第２の処理デバイスＤ２は、少なくともＭ個のリンクＬｍを通じて１つまたは複数のベース・バンド・ユニット（すなわちＢＢＵ）ＥＣに結合されている。これらの処理デバイスＤｉ（ｉ＝１または２）は、通信インターフェースまたはリンク・アグリゲータとみなされることが可能である。
【００２１】
ベース・バンド・ユニットＥＣおよびリモート・ラジオヘッドＲＥｍは、（圧縮された、または圧縮されていない）ＩＱサンプルから作成された（ＡｘＣ）コンテナＣｎを含むデジタル・データ・フレームＦｍを生成することおよび使用することが可能である。したがって、それらは、第１の方法による処理の後にトランスポート・ネットワークＴＮによってトランスポート・フレームＴＦ内にトランスポートされなければならないデジタル・データ・フレームＦｍを（リンクＬｍに接続されている）各自のポート上で配信し、また、トランスポート・ネットワークＴＮによってトランスポートされたトランスポート・フレームＴＦの第２の方法による処理から生じるデジタル・データ・フレームＦｍを各自のポート上で受信する。
【００２２】
以降の説明においては、デジタル・データ・フレームＦｍは、ＣＰＲＩデジタル・データ・フレームであるとみなされる。しかし本発明は、このタイプのデジタル・データ・フレームには限定されない。実際には、それはまた、たとえばイーサネット・フレームおよびＨＤＬＣフレームに関する（それは、事実上、ＯＤＵフレームなどの交換リンク内に封入されたパケット・リンクであることが可能である）。したがってベース・バンド・ユニットＥＣは、リモート機器コントローラであり、リモート・ラジオヘッドＲＥｍは、リモート機器である。
【００２３】
本発明による第１の処理方法は、３つのステップ（ｉ）、（ｉｉ）、および（ｉｉｉ）を含み、それらは、処理デバイスＤｉ（ｉ＝１または２）によって実施されることが可能である。
【００２４】
第１のステップ（ｉ）は、デバイスＤｉが、Ｍ個のリンクＬｍにそれぞれ接続されている自分のポート上でデジタル・データ・フレームＦｍを受信したときに開始する。
【００２５】
第１のデジタル・データ・フレームＢＦ１の非限定的な例が、図３において示されている。この例においては、第１のデジタル・データ・フレームＦ１は、とりわけ、および従来は、コントロール・ワードＣＷと、別々のサイズのＡｘＣコンテナ（ここでは、Ｃ１、Ｃ２、およびＣ３、ｎ＝１〜３）へと収容されるＩＱデータを含むペイロードＤＢとを含む。
【００２６】
この第１のステップ（ｉ）においては、ＩＱサンプルのダウンサイジング（すなわち、ライン・コードを除去すること）および圧縮が、必要とされる場合には、それぞれのデジタル・データ・フレームＦｍに関して実行され（図４）、次いで、縮小されたデジタル・データ・フレームＲＦｍを生成するために、それぞれのフレームＦｍがコンパクト化される（図５）。縮小されたデジタル・データ・フレームのその他の２つの例Ｆ２およびＦ３が、それぞれ図６および図７において示されている。
【００２７】
この第１のステップ（ｉ）は、（処理）デバイスＤｉの第１の処理手段ＰＭ１によって実行されることが可能である。この趣旨で、この第１の処理手段ＰＭ１は、Ｍ個のリンクＬｍにそれぞれ接続されているデバイスＤｉのＭ個のポートにそれぞれ接続されているＭ個のサブ処理手段ＳＭ１ｍを含むことができる。
【００２８】
示されているように、それぞれのサブ処理手段ＳＭ１ｍは、少なくとも、自分が受信するそれぞれのデジタル・データ・フレームＦｍをダウンサイズする（ライン・コードの除去を行う）ように構成されている前処理手段ＰＰＭを含むことができる。たとえば、このダウンサイズすることは、それぞれのデジタル・データ・フレームＦｍのオーバーヘッドを除去する一方で、８Ｂ／１０Ｂなどのライン・コーディングに従ってデジタル・データ・フレームＦｍが符号化されている場合にそのデジタル・データ・フレームＦｍを復号することによって送信のエラーを保持することを含むことができる。このケースにおいては、それぞれの復号されたバイトに関して、コントロール・ビットが、前処理手段ＰＰＭによってその他の処理手段（ＰＭ２およびＰＭ３）へ転送される。これらのコントロール・ビットは、実際の復号されたバイトを、有効なデータ・バイト、無効なデータ・バイト、または特殊文字として特徴付ける。これらのコントロール・ビットは、６４Ｂ／６５Ｂエンコーダによって使用される。
【００２９】
それぞれのサブ処理手段ＳＭ１ｍは、少なくとも、圧縮されたデジタル・データ・フレームＣＦｍを生成するために（図４を参照されたい。Ｃ１、Ｃ２が圧縮されており、Ｃ３は変化がない）、自分が受信するそれぞれのダウンサイズされたデジタル・サンプル・コンテナ（またはサンプルのブロック）のコンテンツを圧縮するように構成されているサイズ縮小手段ＳＲＭを含むこともできる。たとえば、この圧縮は、周波数ダウンサンプリングを行うこと、スケーリング係数によってサンプルのブロックをスケーリングすること、およびサンプルのこれらのスケーリングされたブロックを量子化して、圧縮されたサンプルを生成し、したがって、圧縮されたデジタル・データ・フレームＣＦｍを生成することを含むことができる。
【００３０】
それぞれのサブ処理手段ＳＭ１ｍはさらに、縮小されたデジタル・データ・フレームＲＦｍを生成するために（図５、６、または７を参照されたい）、自分が受信するそれぞれの圧縮されたデジタル・データ・フレームＣＦｍをコンパクト化する（またはパックする）ように構成されているパック／アンパック手段ＵＰＭを含むことができる。たとえば、このコンパクト化することは、（整数のバイトに丸められる）あらゆるデータ・フレームＣＦｍ内の使用されていないデータ・バイトからのクリアを行うことを含み、したがって、縮小されたデジタル・データ・フレームＲＦｍを生成する。
【００３１】
デジタル・データ・フレームＦｍは、８Ｂ／１０Ｂ（または８ビット／１０ビット）の符号化に従って符号化されている場合には、ダウンサイジングの後に、かつ圧縮の前に８＋２Ｂデジタル・データ・フレームへと有利に変形されることが可能であるということに留意することが重要である。ここでは、「８＋２Ｂ」という表現は、データの８ビットと、実際の復号されたバイトを、有効なデータ・バイト、送信エラーに起因する無効なデータ・バイト（ＥＩ：エラー・インジケータ）、または特殊文字（たとえば、ＣＰＲＩ同期バイト／Ｋ２８．５、インジケータＫＣＩ）として特徴付ける２つのコントロール・ビットとの対を意味している。これらのコントロール・ビットは、前処理手段ＰＰＭによってその他の処理手段（ＰＭ２およびＰＭ３）へ転送され、６４Ｂ／６５Ｂエンコーダによって使用される。
【００３２】
ＣＰＲＩ仕様は、８Ｂ／１０Ｂライン・コーディングを使用する。なぜなら、８Ｂ／１０Ｂライン・コーディングは、データ・クロック・リカバリのためにビット・ストリーム内の十分な遷移密度を提供し、良好なＤＣ（直流）バランスを確実にする（すなわち、ライン上の「０」と「１」の比率が同じである）ためである。実際に８Ｂ／１０Ｂ符号化は、特殊文字を搬送すること、および送信エラーの検知を提供することを可能にする。これは、ＣＰＲＩレイヤ１同期化手順（すなわち、ライン・レート・オート・ネゴシエーション、ならびにＬＯＳ（信号の損失）およびＬＯＦ（フレームの損失）の検知）を妨げないために必要とされる。
【００３３】
第１の方法の第２のステップ（ｉｉ）においては、フレーム・グループＦＧｋ（ｋ＝１〜ＫまたはＫ＋１であり、Ｋは、出力ビットレートに依存し、ＫまたはＫ＋１の選択は、入力ビットレートが出力ビットレートの整数倍であるか否かに依存するを生成するために、縮小されたデジタル・データ・フレームＲＦｍのうちの少なくともいくつかが、アグリゲーション情報に従ってともに集約される。
【００３４】
フレーム・グループＦＧ１の第１の例が、図８において示されている。示されているように、この第１の例においては、フレーム・グループＦＧ１は、図５および図６において示されている第１のＲＦ１および第２のＲＦ２の縮小されたデジタル・データ・フレームを含む。フレーム・グループＦＧｋは、１つまたは複数の集約された縮小されたデジタル・データ・フレームＲＦｍを含むことができるということに留意することが重要である。それぞれのフレーム・グループＦＧｋは、集約された縮小されたデジタル・データ・フレームＲＦｍの同じセットを含む。ＫまたはＫ＋１のフレーム・グループＦＧｋからなるシーケンスは、トランスポート・ネットワーク上で同じ物理リンクを通じて共通の宛先デバイスＤｉへ送信される基本的なフレームである。
【００３５】
この第２のステップ（ｉｉ）は、（処理）デバイスＤｉの第２の処理手段ＰＭ２によって実行されることが可能である。この趣旨で、および図２において示されているように、この第２の処理手段ＰＭ２は、自分が含んでいる、または自分がアクセスを有しているグループ化情報に従ってフレーム・グループＦＧｋを生成するために、自分が受信する縮小されたデジタル・データ・フレームＲＦｍどうしをともに集約するように構成されているアグリゲーション手段ＡＭを含むことができる（図８を参照されたい）。
【００３６】
好ましくは、第２のステップ（ｉｉ）中に、フレーム・グループＦＧｋへと収容されるＡｘＣデータ・コンテナに、それらがトランスポート・フレームＴＦへと集約される前に、６４Ｂ／６５Ｂ符号化が適用される。
【００３７】
図１１において示されているように、８つの所与のバイト（６つの有効なデータ・バイト、１つのコントロール文字、および１つの無効なデータ・バイト）の８Ｂ／１０Ｂ符号化されたシーケンスは、８Ｂ／１０Ｂを使用すると８０ビットを必要とするが、６４Ｂ／６５Ｂコーディングを使用すると６５ビットだけで記述されることが可能である。先頭のビットＬは、後続のバイト内に記述されている少なくとも１つの特殊文字があるということを示している。第１のバイトの第１のビット値（１）は、この特殊文字の後に記述されている少なくとももう１つの特殊文字があるということを示している。第１のバイトの後続の３ビットは、最初のバイト・シーケンス内のこの特殊文字のオフセット（００１）を示している。最後の４ビットは、８Ｂ／１０Ｂ特殊文字の符号化された値である。第２のバイトに関して、第１のビット値（０）は、この特殊文字の後に記述されている特殊文字はそれ以上ないということを示している。第２のバイトの後続の３ビットは、最初のバイト・シーケンス内のこの特殊文字のオフセット（１００）を示している。最後の４ビットは、８Ｂ／１０Ｂ特殊文字の符号化された値である。第２のバイトは、この８バイト・シーケンス内には特殊文字はそれ以上ないということを示したため、後続の６バイトは、時系列で与えられたオリジナル・シーケンスの残りの６バイトである。
【００３８】
図２において示されているように、この補助的な６４Ｂ／６５Ｂ符号化は、第２の処理手段ＰＭ２の符号化／復号手段ＥＤＭｊ（ｊ＝１〜Ｊ）によって実行されることが可能である。
【００３９】
第１の方法の第３のステップ（ｉｉｉ）においては、トランスポート・ネットワークＴＮによって送信されなければならないトランスポート・フレームＴＦを生成するために、ＫまたはＫ＋１のフレーム・グループＦＧｋどうしが、グループ化情報に従ってグループ記述子ＧＤを伴ってともにグループ化される。このグループ記述子ＧＤは、フレーム・グループＦＧｋが、縮小されたフォーマット内に含む最初のデジタル・データ・フレームＦｍの最初の配置を定義している。言い換えれば、グループ記述子ＧＤは、トランスポート・フレームＴＦからグループ化解除されたフレーム・グループＦＧｋからの最初のデジタル・データ・フレームＦｍを復元する上でデバイスＤｉにとって有用な任意の情報を含む。トランスポート・フレームＴＦは、光データ・ユニット（ＯＤＵ）である。
【００４０】
トランスポート・フレームＴＦの一例が、図９において示されている。その例は、グループ記述子ＧＤを含み、その後には第１のフレーム・グループＦＧ１（ここでは、ＲＦ１＋ＲＦ２）が続き、その後にはスタッフィング・ビットＳＢが続き、その後には第２のフレーム・グループＦＧ２が続き、その後にはスタッフィング・ビットＳＢが続く、といった具合に最後のフレーム・グループＦＧＫに至る（ただし、その最後のフレーム・グループは、ＦＧＫ＋１であることも可能である）。しかし、同じリンク上に複数のタイプのフレーム・グループＦＧｋを（ちなみに、１つはＣＰＲＩ用に、そしてもう１つはイーサネット用に）、それら自身のＫ値およびそれら自身のグループ記述子ＧＤを伴って有することが可能である。
【００４１】
この第３のステップ（ｉｉｉ）は、（処理）デバイスＤｉの第３の処理手段ＰＭ３によって実行されることが可能である。この趣旨で、および図２において示されているように、この第３の処理手段ＰＭ３は、少なくとも１つのグループ化手段ＧＭｊ（ｊ＝１〜Ｊ）を含むことができる。グループ化手段ＧＭｊ（ｊ＝１〜Ｊ）のうちのそれぞれのグループ化手段は、トランスポート・ネットワークＴＮの一部へのアクセスを提供する（物理リンクごとに１つのグループ化手段ＧＭｊ）。
【００４２】
本発明による第２の方法は、第１の方法の逆の方法、すなわち、受信されたトランスポート・フレームＴＦから最初のデジタル・データ・フレームＦｍを復元することを可能にする方法とみなされることが可能である。
【００４３】
より正確には、この第２の方法は、３つのステップ（ａ）、（ｂ）、および（ｃ）を含む。
【００４４】
第１のステップ（ａ）は、デバイスＤｉが、トランスポート・ネットワークＴＮに接続されているポート上でトランスポート・フレームＴＦを受信したときに開始する。
【００４５】
この第１のステップ（ａ）においては、（第１の方法によって生成された）受信されたトランスポート・フレームＴＦは、自分が含むフレーム・グループＦＧｋをグループ化解除するように処理される。
【００４６】
このグループ化解除は、フレーム・グループのグループ化の逆の機能であり、（処理）デバイスＤｉの第３の処理手段ＰＭ３によって、より正確には、そのグループ化手段ＧＭｊ（ｊ＝１〜Ｊ）によって実行されることが可能である。
【００４７】
第２の方法の第２のステップ（ｂ）においては、それぞれのグループ化解除されたフレーム・グループＦＧｋは、自分が含む縮小されたデジタル・データ・フレームＲＦｍを得るためにデ集約される。
【００４８】
このデアグリゲーションは、縮小されたデジタル・データ・フレームのアグリゲーションの逆の機能であり、（処理）デバイスＤｉの第２の処理手段ＰＭ２によって、より正確には、そのアグリゲーション手段ＡＭによって実行されることが可能である。
【００４９】
グループ化解除されたフレーム・グループＦＧｋが、６４Ｂ／６５Ｂ符号化を用いて符号化されたＡｘＣコンテナを含んでいるケースにおいては、（処理）デバイスＤｉの第２の処理手段ＰＭ２によって、より正確には、その符号化／復号手段ＥＤＭｊによって、デアグリゲーションの前に、これらのＡｘＣコンテナに６４Ｂ／６５Ｂ復号が適用される。
【００５０】
第２の方法の第３のステップ（ｃ）においては、それぞれのデ集約された縮小されたデジタル・データ・フレームＲＦｍは、最初のデジタル・データ・フレームＦｍを得る（または復元する）ために、受信されたトランスポート・フレームＴＦへとはじめに収容されていたグループ記述子ＧＤへと収容された情報に従って、コンパクト化解除され、そして必要とされる場合には圧縮解除され、次いでアップサイズされる。
【００５１】
このコンパクト化解除は、圧縮されたデジタル・データ・フレームのコンパクト化の逆の機能であり、（処理）デバイスＤｉの第１の処理手段ＰＭ１によって、より正確には、そのパック／アンパック手段ＰＵＭによって実行されることが可能である。その上、圧縮解除は、ダウンサイズされたデジタル・データ・フレームの圧縮の逆の機能であり、（処理）デバイスＤｉの第１の処理手段ＰＭ１によって、より正確には、そのサイズ縮小手段ＳＲＭによって実行されることが可能である。さらに、ダウンサイジング解除は、デジタル・データ・フレームのダウンサイジングの逆の機能であり、（処理）デバイスＤｉの第１の処理手段ＰＭ１によって、より正確には、その前処理手段ＰＰＭによって実行されることが可能である。
【００５２】
圧縮解除されたデジタル・データ・フレームＦ’ｍが８＋２Ｂデジタル・データ・フレームであるケースにおいては、（処理）デバイスＤｉの第１の処理手段ＰＭ１によって、より正確には、その前処理手段ＰＰＭによって、ダウンサイジング解除の前に、それらのデジタル・データ・フレームＦ’ｍに８Ｂ／１０Ｂ復号が適用される。
【００５３】
デバイスＤｉの第１のＰＭ１、第２のＰＭ２、および第３のＰＭ３の処理手段は、ソフトウェア・モジュールから、またはハードウェア・モジュールとソフトウェア・モジュールとの組合せから作成されることが可能である。したがって、デバイスＤｉは、通信インターフェース（または機器）へと格納または使用されることが可能であるコンピュータ・プログラム製品であることが可能である。
【００５４】
本発明は、トランスポート・ネットワークの展開において、いくらかの接続（主として光ファイバ）を節減すること、およびトランスポート帯域幅を低減することを可能にする。その上、本発明は、新たな光ファイバを展開する代わりに、既存の光トランスポート・ネットワークの再利用を可能にする。
【００５５】
本発明は、単なる例としての、上述の処理方法および処理デバイスの実施形態に限定されるものではなく、添付の特許請求の範囲の範疇内で当業者によって考えられることが可能であるすべての代替実施形態を包含する。
【図１】
2015528240.tif 000003
【図２】
2015528240.tif 000004
【図１１】
2015528240.tif 000005
【図３】
2015528240.tif 000006
【図４】
2015528240.tif 000007
【図５】
2015528240.tif 000008
【図６】
2015528240.tif 000009
【図７】
2015528240.tif 000010
【図８】
2015528240.tif 000011
【図９】
2015528240.tif 000012
【図１０】
2015528240.tif 000013
【国際調査報告】
2015528240.tif 000014
2015528240.tif 000015
2015528240.tif 000016